(57)【要約】【課題】  本発明は、無線計測装置に関し、例えばＷＣＤＭＡに係る携帯電話システムの無線計測装置に適用して、ＧＰＳ等による位置計測システムにより位置情報を検出できない場合であっても、簡易かつ確実に、測定位置の位置情報を検出することができるようにする。【解決手段】  本発明は、計測位置に係る構造物の内部空間を枡目状に分割して計測単位の空間を設定すると共に、この計測単位の空間を識別可能に内部空間の地図を表示し、この表示による計測単位の空間の指定により計測結果を取得して対応する計測単位の空間を示す座標データと共にメモリに記録する。【選択図】        図１
2006112795.tif 000002
【特許請求の範囲】
【請求項１】
基地局から送出された無線通信波を受信して前記無線通信波を計測する無線計測装置において、
計測位置に係る構造物の内部空間を升目状に分割して計測単位の空間を設定する設定手段と、
前記計測単位の空間を識別可能に、前記内部空間の地図を表示する表示手段と、
前記無線通信波の計測結果を出力する計測手段とを備え、
前記表示手段による表示を介した前記計測単位の空間の指定により、前記計測手段による計測結果を取得して、対応する前記計測単位の空間を示す座標データと共にメモリに記録する
ことを特徴とする無線計測装置。
【請求項２】
前記表示手段は、
升目の表示により、前記計測単位の空間を識別可能に表示する
ことを特徴とする請求項１に記載の無線計測装置。
【請求項３】
前記メモリに記録した計測結果及び座標データを外部機器に出力するインターフェースを有する
ことを特徴とする請求項１又は請求項２に記載の無線計測装置。
【請求項４】
前記計測単位の大きさの設定を受け付ける入力手段を有する
ことを特徴とする請求項１、請求項２又は請求項３に記載の無線計測装置。
【発明の詳細な説明】
【技術分野】
【０００１】
本発明は、無線計測装置に関し、例えばＷＣＤＭＡ（Wideband Code Division Multopule Access ：広域符号分割多元接続）に係る携帯電話システムの無線計測装置に適用することができる。本発明は、計測位置に係る構造物の内部空間を升目状に分割して計測単位の空間を設定すると共に、この計測単位の空間を識別可能に内部空間の地図を表示し、この表示による計測単位の空間の指定により計測結果を取得して対応する計測単位の空間を示す座標データと共にメモリに記録することにより、ＧＰＳ等による位置計測システムにより位置情報を検出できない場合であっても、簡易かつ確実に、測定位置の位置情報を検出することができるようにする。
【背景技術】
【０００２】
従来、ＷＣＤＭＡ等による携帯電話システムでは、無線計測装置を用いて基地局から送出された無線通信波を受信して各種計測結果を得、この各種計測結果に基づいて設備のメンテナンス等を図るようになされている。このためこの種の計測装置は、基地局に係る無線通信波の各種受信機能、電界強度を測定する機能等が設けられるようになされている。
【０００３】
またこの種の計測結果は、例えば電界強度マップのように、地図上にプロットして評価、検討されることにより、この種の無線計測装置では、ＧＰＳ（Global Positioning System ）受信装置により測定位置の位置情報を検出し、この位置情報を各種計測結果と共にコンピュータに出力するように形成され、このコンピュータ上で必要に応じて地図上に測定結果をマッピングするようになされている。
【０００４】
このようなＧＰＳ受信装置により現在位置を検出して無線計測結果を処理する方法に関して、例えば特開平５−３０２９４４号には、車載用の自動計測システムに適用して電界強度を検出する構成が開示されている。
【０００５】
ところでこのようにＧＰＳ等を用いて測定位置の位置情報を検出して測定結果をマッピングする方法にあっては、測定結果を簡易かつ詳細に検討できる反面、例えばＧＰＳシステムにより位置情報を取得できない屋内等にあっては、利用することが困難な問題がある。
【０００６】
これによりＧＰＳ等による位置計測システムにより位置情報を検出できない場合であっても、簡易かつ確実に、測定位置の位置情報を検出することができれば、この種の測定装置の使い勝手を一段と向上することができ、便利であると考えられる。
【特許文献１】特開平５−３０２９４４号
【発明の開示】
【発明が解決しようとする課題】
【０００７】
本発明は以上の点を考慮してなされたもので、ＧＰＳ等による位置計測システムにより位置情報を検出できない場合であっても、簡易かつ確実に、測定位置の位置情報を検出することができる無線計測装置を提案しようとするものである。
【課題を解決するための手段】
【０００８】
かかる課題を解決するため請求項１の発明においては、基地局から送出された無線通信波を受信して前記無線通信波を計測する無線計測装置に適用して、計測位置に係る構造物の内部空間を升目状に分割して計測単位の空間を設定する設定手段と、前記計測単位の空間を識別可能に、前記内部空間の地図を表示する表示手段と、前記無線通信波の計測結果を出力する計測手段とを備え、前記表示手段による表示を介した前記計測単位の空間の指定により、前記計測手段による計測結果を取得して、対応する前記計測単位の空間を示す座標データと共にメモリに記録する。
【０００９】
また請求項２の発明においては、請求項１の構成において、前記表示手段は、升目の表示により、前記計測単位の空間を識別可能に表示する。
【００１０】
また請求項３の発明においては、請求項１又は請求項２の構成において、前記メモリに記録した計測結果及び座標データを外部機器に出力するインターフェースを有するようにする。
【００１１】
また請求項４の発明においては、請求項１、請求項２又は請求項３の構成において、前記計測単位の大きさの設定を受け付ける入力手段を有するようにする。
【００１２】
請求項１の構成により、基地局から送出された無線通信波を受信して前記無線通信波を計測する無線計測装置に適用して、計測位置に係る構造物の内部空間を升目状に分割して計測単位の空間を設定する設定手段と、前記計測単位の空間を識別可能に、前記内部空間の地図を表示する表示手段と、前記無線通信波の計測結果を出力する計測手段とを備え、前記表示手段による表示を介した前記計測単位の空間の指定により、前記計測手段による計測結果を取得して、対応する前記計測単位の空間を示す座標データと共にメモリに記録すれば、表示手段で表示された地図を手掛かりに現在位置に係る計測単位の空間を判定し、対応する計測単位の空間を指定することにより、計測位置に係る計測単位の座標データと共に計測結果を記録することができる。これによりＧＰＳ等による位置計測システムにより位置情報を検出できない場合であっても、簡易かつ確実に、測定位置の位置情報を検出することができる。
【００１３】
また請求項２の構成により、請求項１の構成において、前記表示手段は、升目の表示により、前記計測単位の空間を識別可能に表示すれば、オペレータにおいては、簡易かつ確実に計測単位の空間を判定して計測を指示することができる。
【００１４】
また請求項３の構成により、請求項１又は請求項２の構成において、前記メモリに記録した計測結果及び座標データを外部機器に出力するインターフェースを有するようにすれば、外部機器を用いてこのような計測結果を地図上にマッピングすることができる。
【００１５】
また請求項４の構成により、請求項１、請求項２又は請求項３の構成において、前記計測単位の大きさの設定を受け付ける入力手段を有するようにすれば、必要に応じて、計測単位の大きさを種々に変更して計測作業を効率化することができる。
【発明の効果】
【００１６】
本発明によれば、ＧＰＳ等による位置計測システムにより位置情報を検出できない場合であっても、簡易かつ確実に、測定位置の位置情報を検出することができる。
【発明を実施するための最良の形態】
【００１７】
以下、適宜図面を参照しながら本発明の実施例を詳述する。
【実施例１】
【００１８】
（１）実施例の構成
図２は、本発明の実施例に係る無線計測システムを示すブロック図である。この無線計測システム１は、ＷＣＤＭＡによる携帯電話システムの計測システムであり、基地局から送出された無線通信波の電界強度を計測し、この計測結果を地図上にマッピングして表示する。
【００１９】
このため無線計測装置２は、この基地局から送出された無線通信波をアンテナ３により受信して電界強度を測定し、計測結果を外部コンピュータ４に出力する。すなわちこの無線計測装置２において、電界強度計５は、コントローラ６の制御により、アンテナ３より得られる無線通信波から対応する基地局の無線通信波を選局して電界強度を測定し、測定結果をコントローラ６に出力する。
【００２０】
キーボード７は、この無線計測装置２の各種設定等の入力を受け付け、コントローラ６に通知する。ディスプレイ８は、例えば液晶表示装置により形成され、計測に係る各種の情報、計測結果等を表示する。画像メモリ９は、コントローラ６の制御により、このディスプレイ８への表示に供する画像データを記録してディスプレイ８に出力する。これらによりこの無線計測装置２では、キーボード７によるオペレータの入力によりコントローラ６で各部の動作を制御して無線通信波の電界強度を計測し、この計測結果を外部コンピュータ４に出力する。
【００２１】
ここでコントローラ６は、この無線計測装置２の動作を制御するコンピュータであり、キーボード７の入力によるオペレータからの指示により、電界強度の計測に係る一連の処理手順である電界強度測定処理手順を実行する。ここで図１は、この電界強度測定処理手順を示すフローチャートである。コントローラ６は、この処理手順を開始すると、ステップＳＰ１からステップＳＰ２に移り、外部コンピュータ４からレイヤ１のデータを取得する。
【００２２】
ここで図３に示すように、コントローラ６は、４層構造によるレイヤ構造により各種計測に係るデータを内蔵のメモリ６Ａに格納する。ここでこれら４層構造によるレイヤのうちの第１のレイヤ（レイヤ１）には、計測位置に係る構造物の内部空間の地図データが割り当てられ、続く第２〜第４のレイヤ（レイヤ２〜レイヤ４）には、それぞれ後述する格子データ、測定データ、アイコンのデータが割り当てられる。
【００２３】
ここで第１のレイヤに係る地図データは、例えば計測箇所が住宅の場合、図４に示すように、間取り図のデータが適用され、この無線計測装置２による計測箇所に応じて事前に外部コンピュータ４に記録されて保持される。コントローラ６は、この外部コンピュータ４に保持された地図データより、オペレータの指示により計測箇所に係る地図データをロードし、メモリ６Ａのレイヤ１に格納する。またコントローラ６は、このレイヤ１に格納した地図データによる画像データを画像メモリ９に格納し、これによりこの計測位置の内部空間の地図を表示する。しかしてこの図４に示す例は、ディスプレイ８に１階、２階の間取り図を並べて表示した例である。
【００２４】
続いてコントローラ６は、ステップＳＰ３に移り、キーボード７より格子スケールの入力を受け付ける。ここでコントローラ６は、図５に示すように、ステップＳＰ２で取得した地図データによる構造物の内部空間を升目状に分割して計測単位の空間を設定するようになされており、このステップＳＰ３においては、この計測単位の空間の大きさを格子スケールの入力により受け付ける。コントローラ６は、ディスプレイ８の表示による大きさにより、この計測単位の空間における１辺の長さの入力を受け付け、これにより格子スケールの入力を受け付ける。
【００２５】
このようにして格子スケールの入力を受け付けると、コントローラ６は、続くステップＳＰ４において、この格子スケールにより地図データによる構造物の内部空間を升目状に分割して計測単位の空間を設定し、この計測単位の空間を識別可能に、内部空間の地図をディスプレイ８に表示する。ここでコントローラ６は、図５に示すように、水平方向及び垂直方向に延長する直線により、計測単位の空間の境界を示し、これにより升目の表示により計測単位の空間を識別可能に表示する。またコントローラ６は、この境界を示す直線の座標データを格子データとしてメモリ６Ａの第２のレイヤに格納する。しかしてこれらによりコントローラ６は、それまで第１のレイヤによるディスプレイ８の地図表示を、第１及び第２のレイヤによる合成画像による表示に切り換えて、升目により内部空間の地図を表示する。
【００２６】
このようにして格子データを処理すると、コントローラ６は、ステップＳＰ５に移り、キーボード７の入力により、このようにしてディスプレイ８に表示した升目の指定を受け付け、オペレータにより指定された升目の座標データである升目アドレスを入力する。コントローラ６は、この入力されたアドレスの升目に、オペレータによる指定を示すアイコンを表示するように、格子データと対応付けてメモリ６Ａの第４のレイヤにアイコンのデータを格納し、このデータによりディスプレイ８にアイコンを表示する。またコントローラ６は、このアドレスの入力により測定開始の指示を受け付け、ステップＳＰ６において、電界強度計５に電界強度の測定を指示し、測定結果を取得する。コントローラ６は、続くステップＳＰ７において、この取得した測定結果を格子データと対応付けてメモリ６Ａの第３のレイヤに格納する。
【００２７】
また続くステップＳＰ８において、図６に示すように、測定の完了を示すアイコンを作成し、オペレータによる指定を示すアイコンの表示と置き換えるように、この作成したアイコンを第４のレイヤに格納し、またこの第４のレイヤによる表示をディスプレイ８により表示する。なお図６は、このアイコンを円形形状によるマークにより表示した例であり、このアイコンの表示は、測定結果である電界強度に応じて大きさ、マークの色が設定されるようになされ、これによりこのアイコンの表示により簡易に測定結果を評価できるようになされている。
【００２８】
コントローラ６は、これらの処理により、ディスプレイ８による表示を介した計測単位の空間の指定により、電界強度計５による計測結果を取得して、対応する計測単位の空間を示す座標データと共にメモリ６Ａに記録する。またこの計測結果を簡易な表示による電界強度マップにより表示する。
【００２９】
コントローラ６は、続いてステップＳＰ１０に移り、ここでオペレータにより処理の完了が指示されたか否か判断し、ここで否定結果が得られると、ステップＳＰ５に戻り、続く計測単位の空間の指定を受け付ける。これによりコントローラ６は、オペレータにより順次計測単位の空間の指定を受け付け、各空間毎に計測結果を取得してメモリ６Ａに記録し、オペレータにより計測の完了が指示されると、ステップＳＰ１０からステップＳＰ１１に移り、図示しないインターフェースを介して計測結果を外部コンピュータ４に転送する。ここでコントローラ６は、メモリ６Ａの第１〜第３のレイヤに格納されたデータを外部コンピュータ４に転送することにより、各測定結果に係る計測単位の空間の座標データ、この計測単位の空間の設定に係る格子データを併せて外部コンピュータ４に転送した後、ステップＳＰ１２に移ってこの処理手順を終了する。
【００３０】
この無線計測装置２の構成に対応して、外部コンピュータ４は、地図データを格納し、無線計測装置２からの指示により保持した地図データを無線計測装置２に送出する。また無線計測装置２からの指示により、メモリ６Ａに記録されたデータを取得して記録する。またオペレータにより計測結果の処理に係るアプリケーションプログラムが立ち上げられると、この記録した計測結果のデータを、この計測結果に係る格子データ、座標データに基づいて、対応する地図データによる地図上にマッピングして表示する。これにより外部コンピュータ４は、いわゆる電界強度マップにより無線計測装置２による計測結果を表示する。
【００３１】
（２）実施例の動作
以上の構成において、この無線計測システム１では、建物、地下街等の構造物の内部空間で電界強度を検出する場合、これら構造物の内部空間に係る地図データを外部コンピュータ４から無線計測装置２にロードし、この地図データによる地図がディスプレイ８により表示される（図１、図２、図４）。またオペレータにより計測単位の空間の大きさが指定されると、この大きさにより地図データによる構造物の内部空間を升目状に分割して計測単位の空間が設定され、この計測単位の空間がディスプレイ８により表示される（図５）。
【００３２】
これによりこの無線計測システム１では、無線計測装置２を携帯してこの構造物の内部空間を移動する場合にあって、この構造物の内部空間ではＧＰＳ等による位置検出システムを使用することが困難な場合であっても、このディスプレイ８の表示により、升目を基準にして現在位置を簡易かつ確実に把握することができる。すなわち図５の例では、例えば台所、トイレ等の現在位置を把握することができる。
【００３３】
この無線計測システム１では、これによりオペレータが計測単位の空間を指定すると、基地局に係る無線計測の処理を開始し、計測結果をオペレータの指定した計測単位の空間を示す座標データと共に記録する。これれによりこの無線計測システム１では、この構造物の内部空間を移動しながら、現在位置に係る升目を指定するだけの簡易な処理により、電界強度マップを作成可能に、計測結果が蓄積され、またこの計測結果がアイコンの表示による電界強度マップにより表示される。
【００３４】
これにより室内測定などの経緯、経度の情報とリンクできないような状況における電界強度の測定を視覚的に把握できるようになり、その分、この無線計測システム１の使い勝手を向上することができる。
【００３５】
このようにして視覚的に測定結果を把握できるようにして、無線計測装置２は、垂直方向及び水平方向の直線により境界を表して升目の表示により計測単位の空間を識別可能に表示し、これによりオペレータにおいては、簡易かつ確実に計測単位の空間を判定して計測を指示することができる。
【００３６】
またメモリ６Ａに記録した計測結果については、升目の座標データと共に外部機器に出力され、これにより外部機器を用いてこのような計測結果が地図上にマッピングされて表示される。これによりこの無線計測システム１では、一段と詳細に計測結果を評価することができ、これらによりこのような計測結果の種々の利用を図ることができる。
【００３７】
またこのような計測単位である升目に設定においては、キーボードによる入力手段を介して、計測単位の大きさの設定が受け付けられ、これにより必要に応じて、計測単位の大きさを種々に変更して計測作業を効率化することができ、さらには位置的な測定精度を変更することができ、これらによっても使い勝手が向上される。
【００３８】
（３）実施例の効果
以上の構成によれば、計測位置に係る構造物の内部空間を升目状に分割して計測単位の空間を設定すると共に、この計測単位の空間を識別可能に内部空間の地図を表示し、この表示による計測単位の空間の指定により計測結果を取得して対応する計測単位の空間を示す座標データと共にメモリに記録することにより、ＧＰＳ等による位置計測システムにより位置情報を検出できない場合であっても、簡易かつ確実に、測定位置の位置情報を検出することができる。
【００３９】
またこのとき、升目の表示により、計測単位の空間を識別可能に表示すれば、オペレータにおいては、簡易かつ確実に計測単位の空間を判定して計測を指示することができ、その分、使い勝手を向上することができる。
【００４０】
またメモリに記録した計測結果及び座標データを外部機器に出力することにより、このような外部機器を用いて計測結果を地図上にマッピングすることができ、計測結果の利用を図ることができる。
【００４１】
またキーボードによる入力手段により計測単位の大きさの設定を受け付けることにより、必要に応じて、計測単位の大きさを種々に変更して計測作業を効率化し、さらには位置検出精度を種々に設定して使い勝手を向上することができる。
【実施例２】
【００４２】
なお上述の実施例においては、水平方向及び垂直方向の直線の表示により境界を示して升目の表示により地図を表示する場合について述べたが、本発明はこれに限らず、要は計測単位の空間を識別可能に表示すれば良く、表示の形態においては種々の表示形態を広く適用することができる。
【００４３】
また上述の実施例においては、電界強度を計測する無線計測装置に本発明を適用する場合について述べたが、本発明はこれに限らず、例えば受信可能な基地局のスクランブルコードを計測する場合等、種々の無線計測に広く適用することができる。
【産業上の利用可能性】
【００４４】
本発明は、無線計測装置に関し、例えばＷＣＤＭＡに係る携帯電話システムの無線計測装置に適用することができる。
【図面の簡単な説明】
【００４５】
【図１】本発明の実施例に係る無線計測装置におけるコントローラの処理手順を示すフローチャートである。
【図２】本発明の実施例に係る無線計測装置を示すブロック図である。
【図３】図２の無線計測装置に係るレイヤ構造の説明に供する図表である。
【図４】図２の無線計測装置に係る地図データの説明に供する平面図である。
【図５】図２の無線計測装置に係る計測単位の空間の説明に供する平面図である。
【図６】図２の無線計測装置における計測結果の説明に供する平面図である。
【符号の説明】
【００４６】
１……無線計測システム、２……無線計測装置、４……外部コンピュータ、５……電界強度計、６……コントローラ、８……ディスプレイ
【図１】
2006112795.tif 000003
【図２】
2006112795.tif 000004
【図３】
2006112795.tif 000005
【図４】
2006112795.tif 000006
【図５】
2006112795.tif 000007
【図６】
2006112795.tif 000008